(57)【要約】      （修正有）【課題】カメラ及び任意のレンズアセンブリをしっかりと着用者のベルトに連結する一方で、着用者がそのカメラ及びレンズアセンブリをベルトから迅速且つ容易に外すことが可能な装置を提供する。【解決手段】カメラ支持構造体２０００は、スロット２０５７により特徴づけられたチャネルを形成するホルスー本体部２０２１と、カメラ操作者とホルスター本体部２０２１の着用を許すために、ホルスター本体部２０２１から延びるベルトクリップ２００４と、連結ピースを備える。連結ピースがホルスター本体部２０２１のスロット２０５７と係合するためのスロット係合部分と、カメラと連結ピースとを固定するためのカメラ係合部分とを備え、連結ピースは、カメラがカメラ係合部分に固定された時且つ係合部分がホルスター本体部２０２１のスロット２０５７と係合された時に、カメラをホルスター本体部２０２１に対して回転可能とするように構成される。【選択図】図２０
2014167648.tif 000002
【特許請求の範囲】
【請求項１】
カメラ支持組立体であって、
前記カメラ支持組立体はホルスターを備え、前記ホルスターがスロット付受口により特徴づけられたチャネルを形成する本体部分と、カメラ操作者との前記本体部分の着用を許すために、前記本体部分から延びるクリップ部分とを備え、
前記カメラ支持組立体は連結ピースを備え、前記連結ピースが前記ホルスターの前記スロット付受口と係合するためのスロット係合部分と、カメラと前記連結ピースとを固定するためのカメラ係合部分とを備え、
前記連結ピースは、前記カメラがカメラ係合部分に固定された時且つ前記係合部分が前記ホルスターのスロット付受口と係合された時に、前記カメラを前記ホルスターに対して回転可能とするように構成されることを特徴とするカメラ支持組立体。
【発明の詳細な説明】
【技術分野】
【０００１】
本出願は、米国仮特許出願番号第６０／９７３，４２４号（出願日２００７年９月１８日、同発明者）の利益を主張するものであり、引用することにより本願に援用する。本発明は、カメラを着用者のベルトに連結するための装置に関し、より詳細には、カメラ及び任意のレンズアセンブリをしっかりと着用者のベルトに連結する一方で、着用者がそのカメラ及びレンズアセンブリをベルトから迅速且つ容易に外すことが可能な装置に関する。さらに、本連結装置は、着用者の動きに適応するように設計されている。
【発明の概要】
【課題を解決するための手段】
【０００２】
本発明の実施形態は、ホルスターを備え、前記ホルスターがスロット付受口により特徴づけられたチャネルを形成する本体部分と、カメラ操作者との前記本体部分の着用を許すために、前記本体部分から延びるクリップ部分とを備え、前記カメラ支持組立体は連結ピースを備え、前記連結ピースが前記ホルスターの前記スロット付受口と係合するためのスロット係合部分と、カメラと前記連結ピースとを固定するためのカメラ係合部分とを備え、前記連結ピースは、前記カメラがカメラ係合部分に固定された時且つ前記係合部分が前記ホルスターのスロット付受口と係合された時に、前記カメラを前記ホルスターに対して回転可能とするように構成されるカメラ支持組立体を開示している。
【図面の簡単な説明】
【０００３】
【図１】本発明の一実施形態に係る連結装置を用い、着用者のベルトに取り外し可能に連結されたカメラの図である。
【図２】本発明の一実施形態に係る連結装置を用い、図１で示された如く着用者のベルトに連結されたカメラの図である。カメラは、ベルトに対して連結装置を軸周りに旋回した時に見られる形態で示される。
【図３】本発明の一実施形態に係る連結装置の上面図であり、カメラ及びレンズアセンブリを着用者のベルトにしっかりと固定している。カメラ及びレンズアセンブリは、連結装置の軸周りを旋回することにより、着用者の座位に適用される。
【図４】本発明の代替実施形態に係る連結装置の上面図であり、カメラ及びレンズアセンブリを着用者のベルトにしっかりと固定している。カメラ及びレンズアセンブリは、連結装置の軸周りを旋回することにより、着用者の座位に適用される。
【図５】本発明の一実施形態に係る連結装置の第２部材を示す。
【図６】本発明の一実施形態に従って構成された連結装置の第１部材の斜視図である。
【図７】本発明の一実施形態に係る連結装置の斜視図であり、摺動して係合するように位置付けられた第１及び第２部材を示す。
【図８】本発明の一実施形態に係るカメラに取り付けられた第１部材の上面図である。
【図９】本発明の一実施形態に従って構成された連結装置の第２部材の正面図である。
【図１０】本発明の一実施形態に係る連結装置の斜視図であり、摺動して係合するように位置付けられた第１及び第２部材を示す。
【図１１】本発明の一実施形態に係る連結装置の第１部材の正面立面図である。
【図１２】図１１で示された連結装置の第１部材の上面図であり、第１部材がカメラに取り付けられた時を示す。
【図１３】本発明の一実施形態に係る連結装置の第１部材の背面立面図である。
【図１４】本発明の一実施形態に係る連結装置のカメラ保護部材の斜視図である。
【図１５】連結装置の斜視図であり、第１及び第２部材が互いに連結され、図１４に    記載されるカメラ保護ピースが取り付けられた配置を示す
【図１６】図１５で記載された連結装置の上面図であり、図１４に示されるカメラ保護ピースを含む。
【図１７】本発明の代替実施形態に係る連結装置の上面図である。
【図１８】本発明の代替実施形態を示す。
【図１９】本発明の一実施形態に係る連結ピンを示す。
【図２０】本発明の一実施形態に係るクリップの上面図である。
【図２１】本発明の一実施形態に係るクリップの正面立面図である。
【図２２】本発明の代替実施形態に係るクリップの正面図である。
【発明を実施するための形態】
【０００４】
本発明のこれら及びその他の目的、特性、及び利点は、以下の発明の詳細な記載を図面とともに考慮することにより、明らかなものとなる。本発明にしたがって、本明細書では、カメラ及びレンズアセンブリを着用者のベルトにしっかりと固定するための器具が提供される。本発明の実施形態に係る連結装置は、カメラ及びレンズアセンブリが着用者のベルトにしっかりと安全に固定されることを可能とし、その一方で、着用者がベルトからカメラ及びレンズアセンブリを迅速且つ容易に外すことが可能である。本発明の固定器具は、有利にも、ベルトに対するカメラ及びレンズアセンブリの回転移動を可能とするために、ベルト着用者の曲げ位置および座位に適用することができる。
【０００５】
（図１及び２）
図１及び２は、カメラ（７５）及びレンズ（１２）を含むカメラ及びレンズアセンブリ（７４）を示し、カメラ及びレンズアセンブリ（７４）は、本発明の一実施形態に係る連結装置（図３乃至１９に示される）によって着用者のベルトにしっかりと固定されている。カメラ（７５）は、任意の幅広い種類の市販及び特別注文のカメラを含む。専門家だけでなく素人も、本発明の各種実施形態での使用に適している。本発明は、カメラ（７４）のいかなる特定の種類への応用にも限定されないことに留意することが重要である。さらに、本発明は、カメラ（７５）をベルト（５０）に取り付けるのに有用であり、これは、カメラ（７５）が取り外し可能なレンズ（１２）をカメラ及びレンズアセンブリに備えていない場合であっても同様である。
【０００６】
写真家は、典型的に、一式の持ち運び可能なレンズを運び、その一式のレンズから特定のレンズ（１２）を選択可能であり、カメラ（７５）に取り付けられる。持ち運び可能なレンズは、典型的には、カメラ（７５）のレンズ収容部分を用い、ネジ付係合によってカメラ（７５）に取り付けられる。写真家が異なるレンズを望む際には、１つのレンズを取り外し異なるレンズを取り付ける可能性がある。図１に示されるようなレンズ（１２）は、典型的には管状であるレンズハウジングを特徴とする。しかしながら、本発明は、任意の特定のレンズ形状への適用に限定されない。本発明は、幅広い各種のカメラ及びカメラ
レンズアセンブリをベルト（５０）へと連結する際の利用法を見いだすことになる。
【０００７】
図１及び２は、レンズ長手方向軸（９）に沿ってカメラ（７５）から延伸するレンズ（１２）を示す。ベルトの着用者（２５）が直立姿勢であるとすると、本発明の実施形態に係る連結装置（図３乃至１６に示される）は、地表面（４に示す）に対して垂直にアセンブリに作用する重力（１０に示す方向）に応えて、レンズ（１２）を含むアセンブリ（７４）をベルト（５０）から吊り下げることを可能とする。この位置において、レンズ長手方向軸（９）は力の重力線（１０）に対して平行に延伸する。本発明の連結装置は、重力以外の力がカメラ及びレンズアセンブリ（７４）に及んだ時にそれら力に応じて、アセンブリ（７４）を軸（８）周りに回転させることを可能とする（軸（８）は黒色点によって示され、図面平面に対して垂直に延伸する）。例えば、本発明の連結装置は、アセンブリ（７４）を軸（８）周りにピボットさせることを可能とし、着用者がカメラ及びレンズアセンブリをどちらかの方向に押すことによって及ぶ力の夫々に対し、弧（５）に沿ったアセンブリ（７４）の双方向の動きが可能となる
【０００８】
この方法により、本発明の実施形態に係る連結装置は、写真撮影時の着用者（２５）の多様な姿勢及び位置に適用する。例えば、図２は、ベンチ（３）上に座った写真家（２５）のベルト（５０）へしっかりと固定されたカメラ及びレンズアセンブリ（７４）を図示する。独創的な連結装置は、アセンブリ（７４）を弧（５）に沿って軸（８）周りに旋回することを可能とする。これにより、カメラ及びレンズアセンブリ（７４）が弧（５）に沿って回転不可能である場合に直面するはずの干渉を受けることなく、写真家がベンチ（３）に座ることが可能となる。もしこの回転が無ければ、写真家（２５）は、ベンチ（３）上に座るためにカメラ（７５）からレンズ（１２）を取り外さなければならないことになる。
【０００９】
図２で示される如く、アセンブリ（７４）は重力（１０）線に対して回転位置に示される。このようにして、着用者（２５）は立位（図１に示される）から座位（図２に示される）へと移動でき、これは、カメラ（７５）からレンズ（１２）の連結を外す必要がなく、またベルト（５０）からアセンブリ（７４）の連結を外す必要がない。着用者（２５）が立位である場合、連結装置は、地面（４）に垂直に作用する重力に応じて、アセンブリ（７４）を下方（方向（１０））に旋回させることが可能である。
【００１０】
（図３  連結装置：第１連結部材の第１実施形態）
図３は、本発明の一実施形態に係る連結装置（１００）の上面図である。連結装置（１００）は、第１連結部材（５００）及び対向する第２連結部材（６００）を備える。第１連結部材（５００）は、カメラ及びレンズアセンブリ（７４）にピン（４４）を用いて取り付けられることが示される。ピン（４４）の末端部（７７）は、カメラ（７５）の受口（７６）と係合するためにネジ山が設けられている。ピン（４４）の近接端部は第１連結部材（５００）の開口部（５０８）を通るように配されていることにより、開口部（５０８）の表面内とピボット係合することになる。この方法では、カメラ及びレンズアセンブリ（７４）がピン（４４）の中央長手方向軸（８）周りにピボット可能である。
【００１１】
第２連結部材（６００）はベルト（５０）に固定される。図５は、本発明の一実施形態に係る第２部材（６００）の斜視図である。第２部材（６００）は、基板（６２５）を備える。基板（６２５）は、その上に取り付けられた２つのガイド部材（６２２）（６２３）を含む。本発明の一実施形態では、ガイド部材（６２２）（６２３）は、ガイド部材を基板に溶接することによって、基板（６２５）に固定される。ガイド（６２２）（６２３）を基板（６２５）上に取り付ける好適な溶接は、図１０の（４３）に示される。基板（６００）は、さらに基板（６２５）の平面と垂直に且つその平面から外側に延伸するスライド停止フランジ（６２０）を備える。スライド停止フランジ（６２０）は、ガイド部材（６２２）と（６２３）との間に配され、少なくとも部分的にガイド部材（６２２）と（６２３）の低い部分の間に配される。スライド停止フランジ（６２０）は、スライド（例えば第１部材（５００））の下方への移動を制限するものであり、同時に、ガイド部材（６２２）（６２３）及びスライド停止フランジ（６２０）は、第１部材（５００）を収容するためのスロット（細長い隙間）を提供する。
【００１２】
図５に示される本発明の実施形態では、ガイド部材（６２３）（６２４）が一般的には円筒形状である。本発明の一実施形態では、ガイド（６２３）（６２４）が空洞の金属製円筒を含む。しかしながら、本実施形態は、円筒形状に限定されない。本発明は、第１部材（５００）のウェッジ形状部分と係合するためのスロットを形成するように構成されたガイド（６２３）（６２４）を対象とする。
【００１３】
本発明の一実施形態において、ガイド（６２２）（６２３）は、溶接によってスライド基板（６２５）に固定される。しかしながら、本発明は、ガイド（６２３）（６２４）をスライド基板（６２５）に固定するための特定の手段によって限定されない。本発明の一実施形態において、基板（６２５）は、空洞ガイド（６２２）（６２３）の内面から延伸するネジによって、基板（６２５）を通ってベルト素材内まで通り、ベルト（５０）に固定される。
【００１４】
ここで図３を参照すると、第１部材（５００）及び対向する第２部材（６００）がカメラ及びレンズアセンブリ（７４）をベルト（５０）に連結させることが示される。本発明の実施形態は、ベルト（５０）の着用者にカメラ及びレンズアセンブリ（７４）の位置を調節可能とさせ、カメラ及びレンズアセンブリ（７４）のレンズ（１２）からの妨害又は干渉を受けることなく、着用者がその身体を曲げること及び座ることに適応可能である。
【００１５】
（図４及び６  第１連結装置の第２実施形態）
図４は、本発明の代替実施形態に係る連結装置（４００）の第１部材（４５００）を示す。図４の実施形態において、第１部材（４５００）はさらにスライダー基板（４５８０）を含む。スライダー基板（４５８０）は、開口部（４５８１）を定義する中央領域を含み、開口部（４５８１）はスライダー基板（４５８０）を貫通する。開口部（４５８１）の中央軸は、開口部（４５０９）の中央軸と一直線になる。図４は、ネジ付ピン（４４）を図示する。ネジ付ピン（４４）は、開口部（４５８１）（４５０９）を通って延伸する中間部分を含む。ネジ付ピン（４４）の末端部（７７）は、カメラ（７５）の受口のネジ山と係合する。ネジ付ピン（４４）の近接端部（１５）は、第２部材（４５００）の開口部（４５０９）を通って延伸し、第１部材（４５００）の一側面側に形成された空洞部（４５２１）内へと延伸する。ピン固定手段は、例えば、ナット（４５）がネジ付ピン（４４）の近接端部のネジ山と係合することによって、連結装置（１００）が使用時に組立てられた時に、ネジ付ピン（４４）の近接端部（１５）の少なくとも一部を空洞部（５２１）内に維持することが可能となる。
【００１６】
連結装置（４００）は、さらに第２部材（６００）を備える。第２部材（６００）は、ベルト（５０）に取り付けられるように図示される。第１部材（４５００）は、カメラ（１１７５）に固定されるように図示される。同時に、第２部材（６００）及び第１部材（４５００）は、カメラ（１１７５）をベルト（１１５０）へしっかりと固定する。
【００１７】
図６は、図４に示された第１連結部材（４５００）の斜視図である。スライダー部分（４５８３）は、スライダー基部（４５８０）へと強固に固定される。スライダー部分（４５８３）は、少なくとも２つの横方向に延伸するウェッジ形状部分（４５２２）（図示せず）及び（４５２３）を含む。これらウェッジ形状部分（４５２２）（４５２３）は、ピン（４４）の中央長手方向軸に対して角度をつけて、スライダー基部部分（４５８０）の少なくとも２つの対向する側面から外側に延伸する。ウェッジ形状部分（４５２２）（４５２３）は、ガイド係合端部（４５２７）（図示せず）（４５２８）を夫々形成する。第３ウェッジ形状部分（４５２０）は、端部（４５１９）を含む。端部（４５１９）は、スライド停止フランジ（６２０）（例えば図５に示される）と係合することにより、第１及び第２部材が互いに連結された時に、第２部材（６００）に対する第１部材（４５００）の摺動する動きを制限する。
【００１８】
図６に示される実施形態において、第１部材（４５００）は、一般的には長方形状である。しかしながら、本発明は、長方形状には限定されない。その代わりに、多様な形状が第１部材（４５００）及びその部品を形成するのに好適である。例えば、円形、楕円形、四角形、六角形、及び多様なその他の形状も基部（４５８０）に好適である。形状にかかわらず、スライダー基部（４５８０）は、基部（５８１）の中央部分を通って延伸する開口部（５８１）を含む。
【００１９】
本発明の一実施形態では、中央開口部（５８１）は、その中をネジ付ピンのネジ付端部部分（７７）が通過するのに十分な直径を有する。開口部（５８１）は、その中をネジ付ピンの他端部におけるヘッド部（図６には示されない）が通過するのを防ぐように十分小さい。この方法により、ネジ付ピンは第１部材（４５００）（即ち、第１本体部分（４５００））に連結され、これは、第１本体部分が、支持構造体（６００）（図５に示される）の基板（６２５）、ガイド部材（６２２）（６２３）及びスライド停止部（６２０）によって定義されるスロット付受口に係合することによってなされる。
【００２０】
第２本体部分は、開口部を有し、その開口部を通ってネジ付ピンのネジ付端部が通過可能であり、ネジ付端部がカメラのネジ収容受口と係合する時に、第２本体部分が第１本体部分に連結されるように構成される。
【００２１】
（図７乃至９  第１連結部材の第３実施形態）
図７は、第１部材（７５００）を備える連結装置（７００）を示す。第１部材（７５００）は、対向する第２部材（６００）と摺動して係合可能となるように配される。第２部材（６００）は、図３乃至６の実施形態に関して上述された第２部材（６００）と類似する。第１部材（７５００）は、上述された実施形態の第２部材（５００）とは僅かに異なる。異なる点は、第１部材（７５００）が、第１部材（７５００）のウェッジ形状部分（７５２０）から延伸するフランジ（７００１）を含むように形成されることである。フランジ（７００１）は、第２部材（６００）のスライド停止フランジ（６２０）と係合することによって、矢印（７００３）方向において下方に、第２部材（６００）に対する第１部材（７５００）の動きを制限することになる。
【００２２】
図８は、図７に示される第１部材（７５００）の実施形態の上面図であり、第１部材（７５００）が、カメラ及びレンズアセンブリ（７４）に固定される時に見られる形態が示される。図８は、カメラ及びレンズアセンブリ（７４）の側面立面図をさらに示す。カメラ（７５）は、ネジ係合受口（７６）を含む。多くの従来のカメラには、標準ネジ係合受口（７６）が備わり、カメラ（７５）を三脚に固定するのに使用される。本発明の連結装置は、ネジ係合受口（７６）を用いて、カメラ（７５）を第２部材（例えば、図３の（５００）で示される）にネジ付ピン（例えば図３の（４４）に図示）によって固定する。
【００２３】
図９は、図８に示される第１部材（７５００）の実施形態の正面立面図である。
【００２４】
（図１０乃至１３  第１連結部材の第４実施形態）
図１０は、本発明の代替実施形態に係る連結装置（８００）の斜視図である。連結装置（８００）は、第１連結部材（８５００）及び対向する第２連結部材（６００）を備える。連結装置（８００）のための対向第２連結部材（６００）は、前に図示された対向部材（６００）と類似する。第１連結部材（８５００）は、基部部分（８５８０）を備え、基部部分（８５８０）は、その中央領域に開口部（８５８１）を含む。
【００２５】
基部部分（８５８０）は、さらに長方形状の延長部分（８５９１）（８５９２）を含む。延長部分（８５９１）（８５９２）は、一般的に長方形状であり、開口部（８５９３）（８５９４）によって夫々定義される。延長部分のその他の形状も考慮され、本発明は、延長部分が長方形である実施形態に限定されない。延長部分（８５９１）（８５９２）は、第１連結部材（８５００）が図１０に記載される如く方向付けられ且つ第２連結部分（６００）と摺動可能に係合するように位置付けられた時に、基部部分（８５８０）から下方向（矢印方向）及び上方向（矢印の反対方向）に夫々延伸する。
【００２６】
図１１は、図１０に示される第１連結部材（８５００）の正面立面図であり、観察者に対向するスライダー（８５８３）の基板接触面（８５３０）を備える。図１１は、基部部分（８５８０）に対する延長部（８５９２）（８５９１）の相対的な位置を示す。
【００２７】
図１２は、図１０に示される第１連結部材（８５００）の上面図である。ピン（４４）は、カメラ（７５）の受口（７６）と螺合可能に係合した時に見られる形態が示される。図１３は、第１部材（８５００）の正面立面図であり、図１１に示される図の反対側から見た図である。図１３は、ピン（４４）の軸周りの第１部材（８５００）の回転を示す。
【００２８】
（図１４乃至１６  保護バリア）
図１４は、本発明の一実施形態に係る連結装置（１４００）（図１５に示される）を備えるカメラ保護ピース（１４００）を示す。図１６は、図１４及び１５の連結装置（１４００）の上面図であり、保護部材（１４０１）を含む。保護部材（１４０１）は、第１部材（８５００）の基部部材（８５８０）とカメラ（７５）のハウジングとの間で、カメラの普遍的なネジ付受口の領域において配される（図３及び４において最も良く示される）。保護部材（１４０１）は、第１部材（８５００）の金属部分とカメラ（例えば、図１及び２に記載されるカメラ（７５））のハウジングとの間の保護緩衝材として作用することができる。保護部材（１４０１）は、任意の種類の柔らかい摩耗防止材料、例えば、フェルト等の布、フォームラバー材料、及びその他の傷を付けない又は磨り減りがない材料が挙げられる。保護材料（１４０１）は、ピン（４４）のネジ山をカメラのネジ付受口へと係合する前に、ピン（４４）を挿入するための開口部（１４０１）を含む。保護部材（１４０１）は、一般的にピン（４４）周りを回転可能である。保護部材（１４０１）は、ピン（４４）の軸周りのカメラ及びレンズアセンブリの回転に関連して、回転してもよく又は回転しなくてもよい。しかしながら、保護部材（１４０１）の回転量にかかわらず、保護部材（１４０１）は、第１部材（４５００）が固定されているカメラのハウジングに第１部材（８５００）が直接的に接触することを防ぐバリアとして作用する。
【００２９】
（図１７  連結装置の代替実施形態）
図１７は、本発明の代替実施形態に係る連結装置（１７００）の上面図である。連結装置（１７００）は、第１連結部材（９５００）及び第２連結部材（９６００）を備える。第１連結部材（９５００）は、カメラ及びレンズアセンブリ（７４）にピン（４４）を用いて取り付けられることが示される。ピン（４４）の末端部（７７）は、カメラ（７５）の受口（７６）と係合するようにネジ山が設けられる。ピン（４４）の近接端部は、第１連結部材（９５００）の開口部（９５０８）を通って配されることにより、開口部（９５０８）の内面とのピボット係合が可能となる。この方法により、カメラ及びレンズアセンブリ（７４）は、ピン（４４）の中央長手方向軸周りにピボット可能となる。
【００３０】
第２連結部材（９６００）は、ベルト（５０）に固定される。第２部材（９６００）は、基板（９６２５）を含む。基板（９６２５）は、その上に、２つのガイド部材（９６２２）（９６２３）を有する。本発明の一実施形態において、ガイド部材（９６２２）（９６２３）は、ガイド部材を基板に溶接することによって、基板（９６２５）に固定される。ガイド（９６２２）（９６２３）を基板（９６２５）上に取り付けるための好適な溶接は、図１０に示される。基板（９６００）は、ガイド部材（９６２２）（９６２３）の低い部分において少なくとも部分的に延伸するスライド停止フランジ（９６２０）をさらに含む。スライド停止フランジ（９６２０）は、スライド（例えば第１部材（９５００））の下方への移動を制限するものである。同時に、ガイド部材（９６２２）（９６２３）及びスライド停止フランジ（９６２０）は、第１部材（９５００）を収容するためのスロットを提供する。
【００３１】
中間領域（９５１９）は、第１部材（９５００）が第２部材（９６００）と係合した時に、連結装置（１７００）において空洞（９５２１）を定義するように形成される。フランジ（９５２２）（９５２３）は、第１部材（９５００）をスロット（９６４２）（９６４３）に摺動可能に挿入することが可能となるように形成される。スロット（９６４２）（９６４３）に挿入された時、フランジ（９５２２）（９５２３）は、ガイド（９６２２）（９６２３）のスロット形成部分（９６７２）（９６７３）の停止作用によって、第１部材（９５００）が第２部材（１６００）から分離されることを防ぐ。
【００３２】
（図１８）
図１８は、ネジ収容受口（７６）を含むカメラ（７５）を示す。連結装置（１８００）は、スロット（例えば、図１９に示されるスロット（１８７０））を係合するためのスロット係合部材（１８０５）を含む。ネジ付ピン（１８０４）は、スロット係合部材（１８０５）に連結される。ネジ山（１８０３）は、ネジ付ピン（１８０４）の一端部上に設けられる。ネジ山（１８０３）は、カメラ（７５）のネジ収容受口（７６）と係合するように構成される。本発明の一実施形態において、連結装置（１８００）の各種部品は、スチール、ステンレス・スチール、鉄、又はその他の剛性を有する金属素材から構成されることができる。しかしながら、本発明の代替実施形態は、その他の素材を採用することもできる。任意の剛性素材は、カメラ（７５）の重量を支持することが可能であるとともに、連結装置が支持構造体（例えば装置（２０００））に係合されることが可能であれば、連結装置（１８００）を含むのに好適である。
【００３３】
連結装置（１８００）は、カメラ（７５）のネジ収容受口（７６）がネジ付ピン（１８０４）のネジ山（１８０３）に係合され且つスロット係合端部（１８０５）がスロット（２０５７）に係合される（図２０に示される例）時に、支持構造体（２０００）（図２０に示される）に対するカメラ（７５）の回転を可能にする。
【００３４】
本発明の一実施形態では、連結装置のスロット係合部材（１８０５）はノブを備える。ノブは、ネジ付ピンと一体型部材として形成されることができる。その他の実施形態では、ノブは別個に形成され、ネジ付ピン（１８０４）上に、例えば溶接によって構築されることができる。本発明の一実施形態において、ノブ及びネジ付ピンは、連結ピンを備える。本発明の一実施形態において、ネジ付ピンは、ヘッド部分を含む。この実施形態において、スロット係合部材は、スロット付受口と摺動可能に係合するように形成された第１本体部を備える。
【００３５】
（図１９）
図１９は、連結装置（１８００）の代替実施形態（１９００）を図示する。連結装置（１９００）は、さらにノブ部分（１９０５）とネジ付端部部分（１９０３）との間に形成されたネック部分（１９０７）を含む。カラー部分（１９１１）がネジ付端部部分（１９１１）とネック部（１９０７）との間に配される。
【００３６】
（図２０）
図２０は、支持構造体の一実施例を（２０００）に図示する。支持構造体（２０００）は、本体部分（２０２１）を備える。本体部分（２０２１）は、背面本体部分（２００３）から延伸する正面本体部分（２００５）（２０１１）を含む。正面本体部分（２００５）（２０１１）は、連結装置（１８００）のノブ（１８０５）を収容するためのスロット（２０５７）を定義する。支持構造体（２０００）は、選択的に、ベルトクリップ（２００４）を備える。ベルトクリップ（２００４）は、支持構造体を着用者のベルトに取り付けることを可能にする。本発明の一実施形態において、支持構造体（２０００）は、一般的に、連結装置（１８００）を収容するためのホルスター手段を提供する。ホルスターは、ホルスター本体部（１８６３）を備える。ホルスター本体部は、正面本体部分に開口部（１８７０）を備える。本発明のある実施形態では、ホルスターは、圧力付加クリップ（図示せず）を含む。圧力付加クリップは、ホルスターがベルトに取り付けられた時に、ベルトクリップ（２００４）とホルスター背面本体部分（２００３）との間に配されたベルトを押圧する。
【００３７】
（図２１及び２２）
図２１は、本発明の実施形態に係る支持構造体の正面図である。スロット（２１１７）は、背面本体部分（２３０３）から突出する本体部分（２１１１）（２１０５）によって定義される。クリップ部分（図示せず）は、背面本体部分（２１０３）上に形成されることにより、ベルトへの摺動可能な取付けを可能とすることができる。スロット（２１１７）のスロット停止部分（２１１５）は、支持構造体の一端部（２１２１）に形成される。連結装置（１８００）のノブ（１８０５）は、スロット（２１１７）に係合し、スライド停止部分（２１１５）と摺動可能である。ここで、連結装置（１８００）が静止すると、支持構造体が、連結装置（１８００）を介してカメラ（７５）の重量を支持することが可能となる。
【００３８】
図２２は、支持構造体（２２００）のその他の実施形態を図示する。支持構造体（２２００）は、本体部分（２２１１）（２２０５）（２２２１）を含む正面本体部分を備える。本体部分（２２１１）（２２０５）（２２２１）は、背面本体部分（２２０３）から外側に延出し、スロット（２２１７）を定義する。スロット停止部分（２２１５）は、本体部分（２２２１）によって定義されるスロット（２２１７）の端部に形成される。背面本体部分（２２０３）は、ベルト（２２０７）に固定され、例えば、背面本体部分（２２０３）に固定されたクリップを用いて、固定される。本発明の代替実施形態は、背面本体部分（２２０３）をベルト（２２０７）に固定するためのその他の手段を含み、例えば図１０に示される本発明の実施形態に関して本明細書に記載される手段である。
【００３９】
連結装置ピン（１８００）をホルスター（２２００）に係合するために、ノブ（１８０５）がスロット（２２１７）内に配される。ノブ（１８０５）が、スロット（２２１７）を通って外側に延伸するネジ付ピン（１８０４）を用いて、端部停止部分（２３１５）に向かってスロット（２２１７）を通って摺動可能となるように、スロット（２２１７）は形成される。カメラ（７５）のネジ収容受口（７６）がネジ付ピン（１８０４）のネジ山（１８０３）と係合する時、ノブ（１８０５）がスロット（２２１７）内に係合し、カメラ（７６）が支持構造体（２２００）にしっかりと固定される。同時に、スロット（２２１７）は、ネジ付ピン（１８０４）を支持構造体（２２００）から離脱させることなく、ノブ（１８０５）をスロット（２２１７）内に回転させることが可能となるように形成される。
【００４０】
このようにして、カメラ及びレンズアセンブリを着用者のベルト上に携行するための新規で改良された方法及びシステムが提供される。本発明は、特定の実施形態に関して記載されてきたが、これによって制限されるものではない。ここで、多数の改良形態、変更形態、及び強化形態が読者にとって明らかなものとなる。
【図１】
2014167648.tif 000003
【図２】
2014167648.tif 000004
【図３】
2014167648.tif 000005
【図４】
2014167648.tif 000006
【図５】
2014167648.tif 000007
【図６】
2014167648.tif 000008
【図７】
2014167648.tif 000009
【図８】
2014167648.tif 000010
【図９】
2014167648.tif 000011
【図１０】
2014167648.tif 000012
【図１１】
2014167648.tif 000013
【図１２】
2014167648.tif 000014
【図１３】
2014167648.tif 000015
【図１４】
2014167648.tif 000016
【図１５】
2014167648.tif 000017
【図１６】
2014167648.tif 000018
【図１７】
2014167648.tif 000019
【図１８】
2014167648.tif 000020
【図１９】
2014167648.tif 000021
【図２０】
2014167648.tif 000022
【図２１】
2014167648.tif 000023
【図２２】
2014167648.tif 000024